(57)【特許請求の範囲】
【請求項１】
ネットワーク装置(101)を備えた通信システムにおける容量割り当て方法において、ユーザターミナル(102)に関する容量要求メッセージをネットワーク装置(101)で受信し(303, 401)；前記容量要求メッセージを受信するのに応答して、ユーザターミナル(102)に関連した１つ以上のサービスパラメータをネットワーク装置(101)でチェックし(303, 402)；そのチェック(303, 402)で、改善型ネットワークサービスアクチベーション基準が満足されることが明らかになった場合には、前記１つ以上のサービスパラメータを使用して、適当なネットワークアルゴリズムの使用により、ユーザターミナル(102)のための一時的な改善型ネットワークサービスであって、ユーザターミナル(102)に対して最初に合意したサービスレベルを越えるような一時的な改善型ネットワークサービスを定義し(303, 403)；コール中に、ユーザターミナル(102)に関連した一時的パラメータを監視(405)し、改善型サービスをデアクチベートする必要が検出された場合には、ユーザターミナル(102)に対する改善型サービスをデアクチベートする(308, 406)、ことを含む方法。
【請求項２】
前記チェックされるべきサービスパラメータは、位置、時間、ユーザターミナル識別、利用可能なデータ速度、利用可能なデータ量、低コストインジケータ、ネットワーク要素識別、提供される改善型ネットワークサービス、課金アカウント識別、バーチャルＳＩＭ識別、及びキャンペーン識別、から選択されたサービスパラメータの１つ以上を含む、請求項１に記載の方法。
【請求項３】
前記定義(303, 403)は、入場コントロールアルゴリズム、パケットスケジューラアルゴリズム、ホーム位置レジスタアルゴリズム、メッセージ待機要素アルゴリズム、ハンドオーバーコントロールアルゴリズム、負荷コントロールアルゴリズム、媒体アクセスコントロールアルゴリズム、改善型ノードＢアプリケーションコントロールアルゴリズム、無線リンクコントロールアルゴリズム、無線リソースコントロールアルゴリズム、及び／又はトランスポートリソースマネージャーアルゴリズムを含む容量アルゴリズムにより実行される、請求項１又は２に記載の方法。
【請求項４】
前記サービスパラメータのチェック(303, 402)は、ユーザターミナル(102)に関連したコール設定イベント及び／又はコール維持イベントに応答して実行される、請求項１、２又は３に記載の方法。
【請求項５】
ユーザターミナル(102)が一時的な改善型サービスパラメータではなくオリジナルのサービスパラメータの使用を開始するためにユーザターミナル(102)にデアクチベーションについて通知する(407)ことを含む、請求項１に記載の方法。
【請求項６】
所定のアクチベーション基準を満足した場合に、ユーザターミナル(102)に対して合意された規定の最大データ速度を越えるデータ速度をユーザターミナル(102)に対して一時的に与えることを含む、請求項１から５のいずれか１つに記載の方法。
【請求項７】
新たな一時的サービスクオリティ、新たな一時的最大データ速度、及び／又はユーザターミナル(102)に対する他の改善型一時的ネットワークサービスを定義することを含む、請求項１から６のいずれか１つに記載の方法。
【請求項８】
ユーザターミナル(102)のグループによって使用される一時的な改善型サービスパラメータの監視を自動的にアクチベートすることを含み、その監視によりネットワークの過負荷が明らかになった場合には、ユーザターミナル(102)に対する改善型サービスをデアクチベートし、そして一時的な改善型サービスパラメータに代わってオリジナルのサービスパラメータを使用することを含む、請求項１から７のいずれか１つに記載の方法。
【請求項９】
ユーザターミナル(102)に関する容量要求メッセージを受信し；
その容量要求メッセージの受信に応答して、ユーザターミナル(102)に関連した１つ以上のサービスパラメータをチェックし；
そのチェックにより、改善型ネットワークサービスアクチベーション基準が満足されることが明らかになった場合には、前記１つ以上のサービスパラメータを使用して、適当なネットワークアルゴリズムの使用により、ユーザターミナル(102)のための一時的な改善型ネットワークサービスであって、ユーザターミナル(102)に対して最初に合意したサービスレベルを越えるような一時的な改善型ネットワークサービスを定義し；
コール中に、ユーザターミナル(102)に関連した一時的パラメータを監視し、改善型サービスをデアクチベートする必要が検出された場合には、ユーザターミナル(102)に対する改善型サービスをデアクチベートするように構成された通信装置(101)。
【請求項１０】
前記チェックされるべきサービスパラメータは、位置、時間、ユーザターミナル識別、利用可能なデータ速度、利用可能なデータ量、低コストインジケータ、ネットワーク要素識別、提供される改善型ネットワークサービス、課金アカウント識別、バーチャルＳＩＭ識別、及びキャンペーン識別、から選択されたサービスパラメータの１つ以上を含む、請求項９に記載の通信装置。
【請求項１１】
前記通信装置(101)は、入場コントロールアルゴリズム、パケットスケジューラアルゴリズム、ホーム位置レジスタアルゴリズム、メッセージ待機要素アルゴリズム、ハンドオーバーコントロールアルゴリズム、負荷コントロールアルゴリズム、媒体アクセスコントロールアルゴリズム、改善型ノードＢアプリケーションコントロールアルゴリズム、無線リンクコントロールアルゴリズム、無線リソースコントロールアルゴリズム、及び／又はトランスポートリソースマネージャーアルゴリズムを含む容量アルゴリズムにより前記定義を実行するように構成された、請求項９又は１０に記載の通信装置。
【請求項１２】
前記通信装置(101)は、ネットワークにおける通信にユーザターミナル(102)が利用を開始できる改善型ネットワークサービスに関してユーザターミナル(102)に通知する容量応答メッセージをユーザターミナル(102)に送信するように構成された、請求項９、１０又は１１に記載の通信装置。
【請求項１３】
前記通信装置(101)は、ユーザターミナル(102)に関連したコール設定イベント及び／又はコール維持イベントに応答してサービスパラメータのチェックを実行するように構成された、請求項９から１２のいずれかに記載の通信装置。
【請求項１４】
前記通信装置(101)は、ユーザターミナル(102)が一時的な改善型サービスパラメータではなくオリジナルのサービスパラメータの使用を開始するためにユーザターミナル(102)にデアクチベーションについて通知するよう構成された、請求項９に記載の通信装置。
【請求項１５】
所定のアクチベーション基準を満足した場合に、前記通信装置(101)は、ユーザターミナル(102)に対して合意された規定の最大データ速度を越えるデータ速度をユーザターミナル(102)に対して一時的に与えるように構成された、請求項９から１４のいずれかに記載の通信装置。
【請求項１６】
前記通信装置(101)は、新たな一時的サービスクオリティ、新たな一時的最大データ速度、及び／又はユーザターミナル(102)に対する他の改善型一時的ネットワークサービスを定義するように構成された、請求項９から１５のいずれかに記載の通信装置。
【請求項１７】
前記通信装置(101)は、一時的なパラメータをデータベースに記憶するように構成された、請求項９から１６のいずれかに記載の通信装置。
【請求項１８】
前記通信装置(101)は、ユーザターミナル(102)のグループにより使用される一時的改善型サービスパラメータの監視を自動的にアクチベートするように構成される、請求項９から１７のいずれかに記載の通信装置。
【請求項１９】
監視によりネットワークの過負荷が明らかになった場合には、前記通信装置(101)は、ユーザターミナル(102)に対する改善型サービスをデアクチベートし、そして一時的な改善型サービスパラメータではなくオリジナルのサービスパラメータを使用するように構成された、請求項１８に記載の通信装置。
【請求項２０】
ユーザ装置(102)におけるコール設定イベント又はコール維持イベントに応答して、ネットワーク装置(101)へ容量要求メッセージを送信し；
そのネットワーク装置(101)から容量応答メッセージを受信し；
その容量応答メッセージが、適当なネットワークアルゴリズムの使用によりユーザ装置(102)に対して定義される一時的な改善型ネットワークサービスであって、ユーザ装置(102)に対して最初に合意したサービスレベルを越えるような一時的な改善型ネットワークサービスに関する情報を含む場合には、コール中にその一時的な改善型ネットワークサービスを利用し、
その容量応答メッセージが、改善型サービスをデアクチベートする情報を含む場合には、一時的改善型サービスパラメータに代えて、通常のサービスレベル合意パラメータの使用を開始するように構成された、通信用のユーザ装置。
【請求項２１】
ユーザターミナル(102)に関する容量要求メッセージをネットワーク装置(101)において受信し；
前記容量要求メッセージの受信に応答して、ユーザターミナル(102)に関連した１つ以上のサービスパラメータをネットワーク装置(101)でチェックし；
そのチェックにより、改善型ネットワークサービスアクチベーション基準が満足されることが明らかになった場合には、前記１つ以上のサービスパラメータを使用して、適当なネットワークアルゴリズムの使用により、ユーザターミナル(102)のための一時的な改善型ネットワークサービスであって、ユーザターミナル(102)に対して最初に合意したサービスレベルを越えるような一時的な改善型ネットワークサービスを定義し；
コール中に、ユーザターミナル(102)に関連した一時的パラメータを監視し、改善型サービスをデアクチベートする必要が検出された場合には、前記ネットワーク装置(101)は、ユーザターミナル(102)に対する改善型サービスをデアクチベートする；
ことに向けられたアクションを遂行するようにプロセッサにより実行可能なインストラクションのプログラムを実施するコンピュータ読み取り可能な記憶媒体。
【発明の詳細な説明】
【技術分野】
【０００１】
本発明の規範的及び非限定実施形態は、一般的に、ワイヤレス通信ネットワークに関するもので、より具体的には、容量の割り当てに関する。
【背景技術】
【０００２】
背景技術の以下の説明は、洞察、発見、理解又は開示或いは連想を、本発明以前に当該技術で知られておらず本発明によって提供される開示と共に含む。本発明の幾つかのそのような貢献は、以下に特に指摘するが、本発明の他のそのような貢献は、それらの文脈から明らかとなろう。
【０００３】
位置ベースサービス（ＬＢＳ）とは、移動装置の地理的位置を使用する能力を利用して移動ネットワークを通して移動装置でアクセスできるデータサービスを指す。ＬＢＳは、最寄りの銀行のキャッシュマシンの発見又は友人の所在のような個人又は物体の位置を識別するためのサービスを含む。ＬＢＳは、例えば、乗物追跡サービス、顧客の現在位置に基づいて顧客に向けられる広告又はクーポンの形態をとるときの移動商取引、パーソナル天気サービス、及び位置ベースのゲームを含む。
【発明の概要】
【０００４】
本発明の幾つかの観点の基本的な理解を与えるために本発明の簡単な概要を以下に述べる。この概要は、本発明の広範囲な概略ではない。又、本発明の鍵となる／重要な要素を識別するものでもないし、本発明の範囲を定めるものでもない。その唯一の目的は、以下に述べる詳細な説明の序文として簡単な形態で本発明の概念を示すことである。
【０００５】
本発明の種々の態様は、独立請求項に規定される方法、装置、ユーザ装置、及びコンピュータ読み取り可能な記憶媒体を包含する。本発明の更に別の実施形態は、従属請求項に開示される。
【０００６】
本発明の１つの態様は、ネットワーク装置を備えた通信システムにおける容量割り当て方法において、ユーザターミナルに関する容量要求メッセージをネットワーク装置で受信し；容量要求メッセージを受信するのに応答して、ユーザターミナルに関連した１つ以上のサービスパラメータをネットワーク装置でチェックし；そのチェックで、改善型ネットワークサービスアクチベーション基準が満足されることが分かった場合には、前記１つ以上のサービスパラメータを使用して、適当なネットワークアルゴリズムの使用により、ユーザターミナルのための一時的な改善型ネットワークサービスであって、ユーザターミナルに対して最初に合意したサービスレベルを越えるような一時的な改善型ネットワークサービスを定義する；ことを含む方法に関する。
【０００７】
本発明の更に別の態様は、通信のための装置において、ユーザターミナルに関する容量要求メッセージを受信し；その容量要求メッセージの受信に応答して、ユーザターミナルに関連した１つ以上のサービスパラメータをチェックし；そのチェックで、改善型ネットワークサービスアクチベーション基準が満足されることが分かった場合は、前記１つ以上のサービスパラメータを使用して、適当なネットワークアルゴリズムの使用により、ユーザターミナルのための一時的な改善型ネットワークサービスであって、ユーザターミナルに対して最初に合意したサービスレベルを越えるような一時的な改善型ネットワークサービスを定義するように構成された装置に関する。
【０００８】
本発明の更に別の態様は、通信のためのユーザ装置において、このユーザ装置は、このユーザ装置におけるコール設定イベント又はコール維持イベントに応答して、ネットワーク装置へ容量要求メッセージを送信し；そのネットワーク装置から容量応答メッセージを受信し；その容量応答メッセージが、適当なネットワークアルゴリズムの使用によりユーザ装置に対して定義される一時的な改善型ネットワークサービスであって、ユーザターミナルに対して最初に合意したサービスレベルを越えるような一時的な改善型ネットワークサービスに関する情報を含む場合には、コール中にその一時的な改善型ネットワークサービスを利用するように構成されたユーザ装置に関する。
【０００９】
本発明の更に別の態様は、ユーザターミナルに関する容量要求メッセージをネットワーク装置で受信し；容量要求メッセージの受信に応答して、ユーザターミナルに関連した１つ以上のサービスパラメータをネットワーク装置でチェックし；そのチェックで、改善型ネットワークサービスアクチベーション基準が満足されることが分かった場合には、前記１つ以上のサービスパラメータを使用して、適当なネットワークアルゴリズムの使用により、ユーザターミナルのための一時的な改善型ネットワークサービスであって、ユーザターミナルに対して最初に合意したサービスレベルを越えるような一時的な改善型ネットワークサービスを定義する、ことに向けられたアクションを遂行するようにプロセッサにより実行可能なインストラクションのプログラムを実施するコンピュータ読み取り可能な記憶媒体に関する。
【００１０】
以下、添付図面を参照して、規範的な実施形態を詳細に説明する。
【図面の簡単な説明】
【００１１】
【図１】規範的なシステムアーキテクチャーを示す簡単なブロック図である。
【図２】規範的な装置を示す簡単なブロック図である。
【図３】本発明の実施形態による規範的なメッセージイベントを示すメッセージ図である。
【図４】本発明の規範的な実施形態によるフローチャートの概略図である。
【図５】本発明の別の規範的実施形態によるフローチャートの概略図である。
【発明を実施するための形態】
【００１２】
規範的な実施形態は、移動加入者が経験する位置ベースデータスループット及び他のネットワークサービスに関する。高いデータ速度の改善を続けている３Ｇネットワークは、利用可能なサービスの新たな可能性を提案する。ＬＴＥネットワークも、ユーザに利用できる最大データ速度レートの１０年ステップをもたらす。位置ベースサービス（ＬＢＳ）は、ネットワーク運営者及びネットワーク売主にとって高いビジネス価値があると推定される。ユーザは、新規な積極的な経験、即ち何か新しいものを提案することをＬＢＳに期待する。
【００１３】
ユーザ装置の位置に基づき（又は何らかの他の基準に基づき）個々の移動ユーザ装置のために新規なサービスを活性化する現在の方法は、ぎこちないものであって、エンドユーザの経験的期待に応えるものではない。現在、ネットワークサービスを動的に割り当てる方法は、存在しない。現在、ネットワークにより加入者に提供される移動接続及び他のサービスの最大許容データスループット（速度）は、加入者とネットワーク運営者との間のサービスレベル合意（ＳＬＡ）又はサービスクオリティ（ＱｏＳ）により固定される。次いで、ＳＬＡパラメータをネットワークアルゴリズム（例えば、入場コントロールアルゴリズム及び／又はパケットスケジューラアルゴリズム）に使用して、あるユーザのための最大許容データ速度を定義する。種々の使用ケースに基づき最大許容データ速度を柔軟に調整する可能性なしに全ネットワークにわたって規定の最大データ速度が全体的に使用される。パケットスケジューラ（ＰＳ）は、ＳＬＡベースのパケット速度パラメータを動的に調整するための典型的なデータ速度割り当てアルゴリズムを表わす。又、移動加入者に利用できる他のネットワークサービスは、固定の合意に基づく。マルチブロードキャスティング（ＭＢＭＳ）又は移動ＴＶは、それらの一例である。それらは、多数の基準に基づいてオンラインで柔軟にアクチベート及び／又はデアクチベートすることができない。
【００１４】
一時的に高いデータ速度又は付加的なネットワークサービスのアクチベーションを要求する多数の使用ケースがある。そのような使用ケースは、例えば、次のものを含む。
１）ショッピングセンターにより注文されるマーケッティングキャンペーン（位置ベースのネットワークサービス改善トリガー）。ショッピングセンター又は他の第三者の会社は、それらの店内で高いデータ速度又は他のネットワークサービスを提供することにより顧客を「引き付け」、さもなければ、顧客に良いサービスをすることを願う。ショッピングセンターのオンラインビデオ広告は、顧客の移動装置へとスムースに行われ、顧客は、より高いデータ速度を経験することに関心をもつ。「顧客引き付け」ビデオには、移動双方向「抽選」があり、顧客は、マーケッティング資料をオンラインで移動電話へダウンロードし、オンラインで質問に答え、ショッピングセンターのある誘導歩道、等をたどり、そして自分の移動電話で付加的な広告又は製品情報を見ながら、ショッピングセンターの周りを移動して製品を選択する。大きなショッピングセンターは、顧客の移動電話へダウンロードするためのオンライン建物マップを提供する。このサービスは、各顧客を満足させるために高いデータレートを要求する。どのみち、顧客は、運営者とはかなり異なるＳＬＡを有し、ある顧客は、データ能力を全く持たず、又、ある顧客は、非常に限定的に許された毎月のデータ転送量の能力を持ち、等々である。各顧客にとって、マーケッティング資料又は他のショッピングセンター資料ダウンロードにより生じるデータ料金を支払う必要がなければ好都合である。又、顧客の移動装置に対してできるだけ高速で資料がダウンロードされるのが好都合である。マルチブロードキャスティングサービスは、第三者により提供される付加的なサービスの有用な例である。ショッピングセンター又は別の第三者の会社は、ショッピングセンターが顧客に提供する無料サービスに基づいてネットワーク運営者に特別料金を支払う。又、動的なネットワークリソース割り当てを利用する他のシナリオも考えられ、例えば、当局が移動装置に直接与える安全インストラクションや、オンライントラフィックインストラクションや、ユーザがあるエリアに入るときに移動装置へ自動的に送られるか又はトランスポート会社からそれらに注文するパブリックトランスポートスケジュールが考えられる。これらのダウンロードは、移動装置のユーザにとって無料であり、できるだけ迅速に作用する。
【００１５】
２）時間ベースのトリガー。低トラフィックの時間中に、ネットワーク運営者は、混雑時間中の高いネットワーク負荷を減少するために高速接続又は他のサービスを提供する。加入者は、運営者の利益に従って自分のネットワーク利用振舞いを変更する。
【００１６】
３）報酬ベースのトリガー（選択されたユーザが一時的に特別なネットワークサービスを得る）。運営者により選択された多数の基準に基づき、ユーザは、ネットワークにわたる改善型ネットワークサービス、選択されたエリア、時間、等を得る。第三者の会社は、優良な顧客のための報酬として運営者から顧客に対して一時的データ速度アップグレードを注文する。これら改善型サービスは、広いエリアに対して又は全ネットワークに対して利用可能である。第三者の会社は、運営者の特別料金を支払う。運営者は、優れたユーザ経験を有するユーザに馴染みのあるブランドを増加する。
【００１７】
４）「一回限り」のコールトリガー。単一のコールでも、あるネットワークサービスをアクチベートすることが必要である。ある「低クオリティＳＬＡ」加入者のためのビデオコールは、一時的に高いデータ速度を要求する。ビデオコールをアクチベートする友人が運営者に特別料金を支払う。現在、一時的ネットワークパラメータの使用は、自動的に監視されていない。従って、柔軟なサービス割り当ての自動的な監視も存在しない。多数の動的なサービスアクチベーション及びデアクチベーションが自動的に生じるときに、運営者が各監視セッションを手動でアクチベートすることはできない。自動的に起動されるサービスのユーザ経験は、入念に監視される。というのは、それらが第三者の会社によって支払われ、それら顧客のブランドに関係しているからである。監視の連続的アクチベーション、正しい監視パラメータの設定、及び監視のデアクチベーションは、手動で取り扱うことはできない。というのは、それらがランダムに発生すると共に、監視セッションの数が多いからである。
【００１８】
現在のシステムでは、データ速度又は他のネットワークサービスパラメータを動的に調整することはできない。規範的な実施形態は、多数の使用ケースに基づいてデータ接続の最大許容速度を調整するためにネットワークデータ速度アルゴリズム（入場コントロール、パケットスケジューラ、ハンドオーバーコントロール、負荷コントロール、媒体アクセスコントロール、ｅＮＢアプリケーションコントロール、無線リンクコントロール、無線リソースコントロール、トランスポートリソースコントロール、ＭＷ要素、等のアルゴリズム）に対して付加的なパラメータを提供する。又、規範的な実施形態は、加入者とネットワーク運営者との間に固定のＳＬＡを通常要求する他のネットワークサービスの一時的なアクチベーション及びデアクチベーションも提供する。又、規範的な実施形態は、一時的パラメータのデータ記憶、及び各当該アルゴリズム及びネットワーク要素に対してパラメータを共有する方法も提供する。コール設定及びコール維持プロセス中にユーザに対して最大許容データ速度が定義されるときに、それらの付加的な一時的パラメータがチェックされる。一時的に高いデータ速度が許されることをパラメータが指示する場合には、それらが、加入者のＳＬＡにより定義された速度を一時的に無効化する。ある重要なネットワークレベル固定パラメータは、ベースステーション又はセルレベル最大許容データ速度のように、無効化されないように定義される。アップグレードされたデータ速度の基準が失われたとき、例えば、ユーザが指定の位置から立ち去るか、又は時間が経過したとき、固定ＳＬＡに基づくデータ速度が使用され、そして付加的なパラメータがユーザに対してデアクチベートされる。
【００１９】
又、規範的な実施形態は、データ速度アップグレード又は付加的なネットワークサービスの利用についての付加的な自動監視も提供する。これは、キャンペーン主催者が、キャンペーンの関心度、即ち顧客がどれほど積極的にキャンペーンに実際に参加するか、又は彼等がありそうな質問に返答をするか、を分析する上で助けとなる。又、自動監視は、ネットワーク運営者が付加的なサービスの技術的な細部（コール成功率、データスループット、ユーザ数、等）を追跡調査する上でも助けとなる。監視は、ネットワーク運営者がネットワークリソースの使用に対してキャンペーンの利益を評価する上で助けとなる。又、ある規範的な実施形態は、最大許容データ速度を異なる使用ケースに基づいて柔軟に調整する能力を提供する。
【００２０】
コール設定及び維持段階において、通常のＳＬＡパラメータ（最大データ速度、許可されたサービス、等）の設定に加えて、１つ以上の付加的なパラメータがチェックされ、そしてアクチベーションの基準を満足する場合にそれが使用される。
【００２１】
ネットワークアルゴリズムの付加的なパラメータは、少なくとも、次のものを含む。
−付加的な速度又は他のサービスがユーザに利用できる場所；
−アップグレードが有効な時間；
−加入者又はユーザ装置のネットワーク識別（電話番号、ＩＭＳＩ、ＩＭＥＩコード、等）；
−アップグレードステップ（例えば、最大利用速度、１Ｍビット／ｓ、１０Ｍビット／ｓ、等、ＳＬＡについて提供される付加的なサービス）；
−改善型サービスに利用できるデータ量（例えば、無制限、５０Ｍバイト、１００Ｍバイト、等）；
−無料コール／低データ転送コストインジケータ；
−影響のあるネットワーク要素の識別（ＩＤ）、例えば、ＲＮＣ２、６１。
【００２２】
又、付加的なパラメータは、次のものを含む。
−提供される改善型ネットワークサービスのリスト；
−課金アカウント／バーチャルＳＩＭに関する情報；
−キャンペーンコード／識別。
【００２３】
これらのパラメータは、標準ネットワークアルゴリズム及びレジスタ機能について利用できるデータ記憶装置に記憶される。これらのパラメータの全部又は一部分を使用して、移動ユーザ（１人又は複数）に対する新たな一時的ＱｏＳ又は他の改善型ネットワークサービスを定義する。
【００２４】
ネットワーク運営者は、高いデータ速度が利用できる１つ以上のネットワークエリアを定義する。それらのエリアは、データ記憶装置において定義され、そこで、それらのエリアは、使用する位置技術（セルＩＤ（のグループ）又はＧＰＳベース座標のようなネットワーク測定ベースの位置）に従って識別される。ユーザ装置位置は、ユーザ装置とネットワークとの間のネットワーク容量要求メッセージ中に定義される。少なくとも無線ネットワークセル識別を通常使用でき、又、他のより正確な位置方法も、ユーザ装置位置（建物内部／外部）及び能力（ＧＰＳのような）に基づいて利用できる。
【００２５】
コール設定及び維持手順の間に、これらの一時的パラメータは、最大許容データ速度及び他のネットワークサービス（例えば、マルチブロードキャスト、移動ＴＶ、及び／又はパケットデータサービス（これは、通常、サービスのユーザへ運営者により提供するために運営者と加入者との間に固定の合意を要求する））を指定するときにチェックされ且つ考慮される。固定のパラメータは、ＨＬＲ及び／又はＶＬＲに記憶されて、コール設定段階においてチェックされる。付加的なパラメータは、ネットワークリソース割り当て段階において使用されるようにＨＬＲ、ＶＬＲ及び／又はＲＮＣに記憶される。
【００２６】
コール中に、ユーザ装置の位置、転送データ量及び時間のような一時的パラメータは、ネットワークによって常時監視される。あるトリガーが改善型サービスをデアクチベートする必要性を示す（例えば、ユーザが「キャンペーン」エリアから去った）場合には、通常の（固定）ＳＬＡパラメータが使用される。規範的な実施形態において、接続、データ転送、又は他のネットワークサービスが、ショッピングセンターのような第三者によって支払いされた場合には、課金されるアカウントの識別が存在する。このアカウントは、他の一時的パラメータに基づき、選択された加入者により、又はターゲットエリアにおいてなされたコールの課金を収集する「バーチャルＳＩＭ」を指す。バーチャルＳＩＭの課金は、データ転送又は他のネットワークサービスの通常の課金を回避するのに使用される。従って、一時的パラメータにより指定された条件のもとでなされたコールは、課金ネットワーク要素における「バーチャルＳＩＭ」アカウントを使用して課金される。
【００２７】
規範的な実施形態において、改善型サービスの利用は、自動的に監視される。付加的なサービスがアクチベートされるときは、サービス改善に使用された同じパラメータを使用してそれらサービスの監視を自動的にアクチベートする装置が設けられる。監視のアクチベーションは、これらの自動的に発生されるパラメータと共に含まれた監視ツールへ必要なアクチベーションコマンドを送信することにより行われる。標準化加入者及び装置トレースが使用される場合には、以下の通知が考慮される。即ち、３ＧＰＰ標準化「加入者及びＵＥトレース」が、加入者識別（ＩＭＳＩ）又はＵＥ識別（ＩＭＳＩ）コードのような当該パラメータでネットワークにおいてアクチベートされる。
【００２８】
ユーザの識別及びネットワークにおける位置は、監視機能アクチベーション段階で既に知られているので、標準化マネージメントベースのアクチベーション（ＭＢＡ）がＲＮＣにおいて使用される。トレースをアクチベートする方法は、ＲＮＣと加入者との間のマネージメントアクチベーション／デアクチベーション、ＭＳＣ／ＳＧＳＮとＲＮＣとの間のシグナリングアクチベーション、ネットワークとＭＳＣ／ＳＧＳＮとの間の直接アクチベーション、及びネットワークとＭＳＣ／ＳＧＳＮとの間のＨＬＲを経てのアクチベーションを含む。ＲＮＣ又はＭＳＣ／ＳＧＳＮからネットワークへトレースレポートが各々送信される。ＭＢＡを使用することから幾つかの利益が得られ、即ちネットワークシグナリング負荷が小さくなり、そしてコアネットワーク要素が加入者及び装置トレース機能をサポートしなくてもそれを使用することができる。各アクティブな改善型ユーザを監視するためのトレース容量に制限があるので、よりパワフルな他の監視ツールがアクチベートされてもよい。
【００２９】
自動的にアクチベートされる監視ツールは、前記データ記憶装置において指定されるパラメータを、コール設定段階中にネットワーク要素により使用されるデータ（ＵＥ位置、ＵＥ能力、等）と合成したものを使用する。これは、監視ツールが、ユーザ／サービスの専用グループに自動的に焦点を当てることができるようにする。ＲＮＣ内部レイヤ３シグナリングモニタのようなツールは、ネットワークカウンタ及びＫＰＩのワイドなセットをリアルタイムで監視する。これらのツールは、リアルタイム監視を提供するために全ネットワーク要素に対して拡張することができる。
【００３０】
自動監視の目的は、補足的サービスの利用に関して第三者（例えば、パートナーネットワーク運営者）へレポートを発生することである。このレポートは、多数のユーザレポートや、サービスクオリティレポートや、例えば、トレース機能及び他の監視ツール、例えば、ネットワーク監視及び／又はシグナリング監視ツールにより発生される位置データレポート、等のユーザ情報を含む。
【００３１】
本発明の規範的な実施形態は、本発明の全部ではなく幾つかの実施形態が示された添付図面を参照して以下に詳細に説明する。むしろ、本発明は、多数の異なる形態で実施することができ、ここに述べる実施形態に限定されるものではなく、この開示が適用法的要件を満足する実施形態が示されている。本明細書は、多数の位置に「一」、「１つの」又は「幾つかの」実施形態を参照しているが、これは、必ずしも、そのような各々の参照が同じ実施形態を指すこと、又は特徴が１つの実施形態のみに適用されることを意味していない。又、異なる実施形態の１つの特徴を合成して、他の実施形態を設けることもできる。全体を通じて同様の要素が同じ参照番号で示される。
【００３２】
本発明は、任意のユーザターミナル、サーバー、対応コンポーネント、及び／又は位置ベースサービスをサポートする任意の通信システム又は異なる通信システムの任意の組み合わせにも適用できる。通信システムは、固定の通信システム、又はワイヤレス通信システム、或いは固定ネットワーク及びワイヤレスネットワークの両方を利用する通信システムである。使用するプロトコル、通信システムの仕様、サーバー、及びユーザターミナルは、特にワイヤレス通信において、急速に発展する。そのような発展は、一実施形態に対して特別な変化を要求する。それ故、全ての語及び表現は、広く解釈されるべきであり、そしてその実施形態を例示するもので、それに限定されないことが意図される。
【００３３】
以下、実施形態が適用されるシステムアーキテクチャーの一例として、ＬＴＥネットワークをベースとするアーキテクチャーを使用して種々の実施形態を説明するが、実施形態はそのようなアーキテクチャーに限定されない。本発明は、ＬＴＥ無線システムに限定されず、ＵＭＴＳ、ＧＳＭ（登録商標）、ＥＤＧＥ、ＷＣＤＭＡ（登録商標）、Ｂｌｕｅｔｏｏｔｈ（登録商標）ネットワーク、ＷＬＡＮ、或いは他の移動又はワイヤレスネットワークでも具現化することができる。一実施形態において、ここに提示する解決策は、ＬＴＥ及びＵＭＴＳのような、異なるが適合するシステムに属するユーザ装置間に適用される。
【００３４】
位置ベースサービスを提供する通信システムの一般的なアーキテクチャーが図１に示されている。図１は、幾つかの要素及び機能的エンティティのみを示す簡単なシステムアーキテクチャーであり、それらは全て論理的ユニットで、その具現化は、図示されたものと異なってもよい。図１に示す接続は、論理的接続であり、実際の物理的接続は、それとは異なってもよい。当業者であれば、システムは、他の機能及び構造も含むことが明らかであろう。グループ通信において又はグループ通信のために使用される機能、構造、要素及びプロトコルは、実際上、本発明に関わりないことを理解されたい。それ故、それらは、ここでは、詳細に説明しない。
【００３５】
図１の規範的無線システムは、ネットワーク運営者のネットワーク装置１０１を備えている。ネットワーク装置１０１は、例えば、無線ネットワークコントローラ（ＲＮＣ）、改善型ノードＢ（ｅＮＢ）、ベースステーション（ＢＳ）、アクセスポイント（ＡＰ）、ＭＳＣサーバー（ＭＳＳ）、移動交換センター（ＭＳＣ）、サービングＧＰＲＳサポートノード（ＳＧＳＮ）、移動マネージメントエンティティ（ＭＭＥ）、ホーム位置レジスタ（ＨＬＲ）、ホーム加入者サーバー（ＨＳＳ）、ビジター位置レジスタ（ＶＬＲ）、又は他のネットワーク要素、或いはネットワーク要素の組み合わせを含む。図１は、ネットワーク装置１０１のサービスエリアに位置するユーザ装置１０２を示す。ネットワーク装置１０１は、例えば、接続１０３を経てユーザ装置へ接続される。ユーザ装置は、ポータブルコンピューティング装置を指し、ユーザターミナルと称されてもよい。そのようなコンピューティング装置は、加入者識別モジュール（ＳＩＭ）と共に又はそれを伴わずに動作するワイヤレス移動通信装置を含み、これは、次の形式の装置、即ち移動電話、スマートホン、パーソナルデジタルアシスタント（ＰＤＡ）、ハンドセット、ラップトップコンピュータを含むが、これに限定されない。図１の規範的状態において、ネットワーク要素１０１及びユーザ装置１０２は、接続１０３を通るアクセスネットワークを経て互いに接続することができる。
【００３６】
図１は、簡単な例を示すに過ぎない。実際には、ネットワークは、より多くのネットワーク要素及びユーザターミナルを含んでもよく、又、より多くのセルがネットワーク要素によって形成されてもよい。２人以上の運営者のネットワークが重畳してもよく、セルのサイズ及び形態は、図１に示すものとは異なってもよい。又、通信システムは、公衆交換電話ネットワークのような他のネットワークと通信することもできる。しかしながら、実施形態は、一例として上述したネットワークに限定されず、当業者であれば、必要なプロパティが設けられた他の通信ネットワークに解決策を適用することができよう。例えば、異なるネットワーク要素間の接続は、インターネットプロトコル（ＩＰ）接続で実現されてもよい。
【００３７】
図２は、本発明の実施形態による装置の例を示す。図２は、ネットワーク要素又はＮＥ１０１のエリアに位置するユーザ装置１０２を示す。ユーザ装置は、ネットワーク要素１０１に接続されるように構成される。ユーザ装置又はＵＥ１０２は、コントローラ２０１を備え、これは、メモリ２０２及びトランシーバ２０３に作動的に接続されている。コントローラ２０１は、ユーザ装置１０２の動作をコントロールする。メモリ２０２は、ソフトウェア及びデータを記憶するように構成される。トランシーバ２０３は、ネットワーク要素１０１へのワイヤレス接続を設定及び維持するように構成される。トランシーバは、アンテナ構成体２０５に接続されたアンテナポート２０４のセットに作動的に接続される。アンテナ構成体２０５は、アンテナのセットを含む。アンテナの数は、例えば、１ないし４である。アンテナの数は、特定の数に限定されない。又、ユーザ装置１０２は、ユーザインターフェイス、カメラ、及びメディアプレーヤのような種々の他のコンポーネントも含む。それらは、簡単化のために図示されていない。ネットワーク要素又はＮＥ１０１は、コントローラ２０７を備え、これは、インターフェイス２０８及びトランシーバ２０９に作動的に接続される。コントローラ２０７は、ネットワーク要素１０１の動作をコントロールする。インターフェイス２０８は、更に別のネットワーク要素（図示せず）との接続を設定及び維持するように構成される。トランシーバ２０９は、ネットワーク要素１０１のサービスエリア内のユーザ装置１０２へのワイヤレス接続を設定及び維持するように構成される。トランシーバ２０９は、アンテナ構成体２１０に作動的に接続される。アンテナ構成体は、アンテナのセットを含む。アンテナの数は、例えば、２ないし４である。アンテナの数は、特定数に限定されない。ネットワーク要素１０１は、通信システムの更に別のネットワーク要素（図示せず）に作動的に接続される（直接的又は間接的に）。更に別のネットワーク要素は、例えば、無線ネットワークコントローラ（ＲＮＣ）、ＭＳＣサーバー（ＭＳＳ）、サービングＧＰＲＳサポートノード、移動マネージメントエンティティ（ＭＭＥ）、ホーム位置レジスタ（ＨＬＲ）、ホーム加入者サーバー（ＨＳＳ）、ビジター位置レジスタ（ＶＬＲ）、ゲートウェイ、又はサーバーである。
【００３８】
しかしながら、実施形態は、一例として上述したネットワークに制限されず、当業者であれば、必要なプロパティが設けられた他の通信ネットワークに解決策を適用することができよう。例えば、異なるネットワーク要素間の接続は、インターネットプロトコル（ＩＰ）接続で実現されてもよい。
【００３９】
メモリは、揮発性及び／又は不揮発性メモリを含み、典型的に、コンテンツ、データ、等を記憶する。例えば、メモリは、実施形態に基づく装置の動作に関連したステップを遂行するためのプロセッサに対してソフトウェアアプリケーション（例えば、検出ユニット及び／又は調整ユニットのための）又はオペレーティングシステム、情報、データ、コンテンツ、等のコンピュータプログラムコードを記憶する。メモリは、例えば、ランダムアクセスメモリ（ＲＡＭ）、ハードドライブ、又は他の固定データメモリ、或いは記憶装置である。更に、メモリ又はその一部分は、装置に取り外し可能に接続される除去可能なメモリでよい。ここに述べる技術は、一実施形態で述べた対応移動エンティティの１つ以上の機能を実施する装置が、従来の手段を備えるだけでなく、一実施形態で述べた対応装置の１つ以上の機能を実施する手段も備えると共に、各個別の機能のための個別の手段又は２つ以上の機能を遂行するように構成された手段を備えるように、種々の手段により実施される。例えば、これらの技術は、ハードウェア（１つ以上の装置）で実施されてもよいし、ファームウェア（１つ以上の装置）で実施されてもよいし、ソフトウェア（１つ以上のモジュール）で実施されてもよいし、或いはその組み合わせで実施されてもよい。ファームウェア又はソフトウェアの場合には、ここに述べる機能を遂行するモジュール（例えば、手順、機能、等）を通して実施することができる。ソフトウェアコードは、適当なプロセッサ／コンピュータ読み取り可能なデータ記憶媒体又はメモリユニット又は製造物品に記憶され、そして１つ以上のプロセッサ／コンピュータにより実行される。データ記憶媒体又はメモリユニットは、プロセッサ／コンピュータ内で実施されてもよいし、プロセッサ／コンピュータの外部で実施されてもよく、この場合は、この分野で良く知られたように種々の手段を経てプロセッサ／コンピュータに通信結合される。ユーザ装置は、任意のユーザ通信装置を指す。ここで使用する「ユーザ装置」という語は、通信能力をもつ任意の装置、例えば、ワイヤレス移動ターミナル、ＰＤＡ、スマートホン、パーソナルコンピュータ（ＰＣ）、ラップトップコンピュータ、デスクトップコンピュータ、等を指す。例えば、ワイヤレス通信ターミナルは、ＵＭＴＳ又はＧＳＭ（登録商標）／ＥＤＧＥスマート移動ターミナルである。従って、本発明の種々の実施形態による装置のアプリケーション能力は、ターミナルにおいて利用できるネーティブアプリケーション、又はその後にインストールされるアプリケーションを含む。メッセージサービスセンターは、サーバーのようなネットワーク要素において実施される。
【００４０】
図２は、本発明の実施形態による装置のブロック図である。この装置は、１つのエンティティとして描かれているが、異なるモジュール及びメモリが１つ以上の物理的又は論理的エンティティにおいて実施されてもよい。ネットワーク要素１０１の機能は、図３ないし５を参照して以下で詳細に述べる。装置１０１は、容量の割り当てにおいて又はそのために使用される他のユニットを含むことが明らかである。しかしながら、それらは、実際上、本発明には関わりなく、それ故、ここでは詳細に説明する必要がない。
【００４１】
又、装置は、ユーザターミナル及びそのユーザを契約に関連付け又は関連付けるように構成されそしてユーザが通信システムと相互作用するのを許す装置又はデバイスの断片であるユーザターミナルでもよい。ユーザターミナルは、ユーザに情報を提示し、ユーザが情報を入力できるようにする。換言すれば、ユーザターミナルは、ネットワークから情報を受信でき及び／又はネットワークへ情報を送信できると共にネットワークにワイヤレス接続でき又は固定接続を経て接続できる任意のターミナルである。ユーザターミナルは、例えば、パーソナルコンピュータ、ゲームコンソール、ラップトップ（ノートブック）、パーソナルデジタルアシスタント、移動ステーション（移動電話）、及びライン電話を含む。
【００４２】
装置１０１は、一般的に、メモリ及び装置の種々のインターフェイスに接続されたプロセッサ、コントローラ、コントロールユニット、等を備えている。一般的に、プロセッサは、中央処理ユニットであるが、プロセッサは、付加的な動作のプロセッサでもよい。プロセッサは、コンピュータプロセッサ、特定用途向け集積回路（ＡＳＩＣ）、フィールドプログラマブルゲートアレイ（ＦＰＧＡ）、及び／又は一実施形態の１つ以上の機能を実行するようにプログラムされた他のハードウェアコンポーネントを含む。
【００４３】
ここに述べる技術は、一実施形態で述べた対応移動エンティティの１つ以上の機能を実施する装置が、従来の手段を備えるだけでなく、一実施形態で述べた対応装置の１つ以上の機能を実施する手段も備えると共に、各個別の機能のための個別の手段又は２つ以上の機能を遂行するように構成された手段を備えるように、種々の手段により実施される。例えば、これらの技術は、ハードウェア（１つ以上の装置）で実施されてもよいし、ファームウェア（１つ以上の装置）で実施されてもよいし、ソフトウェア（１つ以上のモジュール）で実施されてもよいし、或いはその組み合わせで実施されてもよい。ファームウェア又はソフトウェアの場合には、ここに述べる機能を遂行するモジュール（例えば、手順、機能、等）を通して実施することができる。ソフトウェアコードは、適当なプロセッサ／コンピュータ読み取り可能なデータ記憶媒体又はメモリユニット又は製造物品に記憶され、そして１つ以上のプロセッサ／コンピュータにより実行される。データ記憶媒体又はメモリユニットは、プロセッサ／コンピュータ内で実施されてもよいし、プロセッサ／コンピュータの外部で実施されてもよく、この場合は、この分野で良く知られたように種々の手段を経てプロセッサ／コンピュータに通信結合される。
【００４４】
図３のシグナリングチャートは、必要なシグナリングを示す。図３の例では、ユーザターミナル１０２は、ステップ３０１において、コールの設定又はコールの維持に関連したイベントのようなトリガーイベントを遂行する。トリガーイベント３０１に応答して、ネットワーク容量要求メッセージ３０２は、ユーザターミナル１０２から、例えば、無線ネットワークコントローラ（ＲＮＣ）又はベースステーション（ｅＮＢ）を含むネットワーク装置１０１へ送信される。ネットワーク容量要求メッセージの受信に応答して、ネットワーク装置１０１は、（最大データ速度、許されたサービス等の通常のＳＬＡパラメータに加えて）１つ以上の付加的なパラメータをチェックする（３０３）ように構成される。チェックされるこれら付加的なパラメータは、付加的な速度又は他のサービスが利用できる位置、アップグレードが有効な時間、加入者／ユーザ装置識別（例えば、電話番号、ＩＭＳＩ、ＩＭＥＩコード、等）、アップグレードステップ（例えば、最大利用可能速度、１Ｍビット／ｓ、１０Ｍビット／ｓ、等、ＳＬＡについて提供される付加的なサービス）、改善型サービスについて利用できるデータ量（例えば、無制限、５０Ｍバイト、１００Ｍバイト、等）、無料コール／低データ転送コストインジケータ、影響のあるネットワーク要素の識別（ＩＤ）（例えば、ＲＮＣ２、６１）、提供される改善型ネットワークサービスのリスト、課金アカウント／バーチャルＳＩＭに関する情報、及び／又はキャンペーンコード／識別のようなパラメータを含む。
【００４５】
チェック３０３で、アクチベーション基準を満足することが明らかになった場合には、前記１つ以上の付加的なパラメータを使用して、ステップ３０３において、適当なネットワークアルゴリズムの使用により、新たな一時的ＱｏＳ、新たな一時的最大データ速度、及び／又はユーザターミナル１０２に対する別の新たな（改善型）一時的ネットワークサービスを定義する。定義に使用される適当なネットワークアルゴリズムは、例えば、入場コントロールアルゴリズム、パケットスケジューラアルゴリズム、メッセージ待機アルゴリズム、及び／又はホーム位置レジスタアルゴリズムを含む。別の選択肢として、容量要求メッセージ３０２は、例えば、コアネットワークノード（ＭＳＣのような）からネットワーク装置へ送信される。その場合に、容量要求メッセージは、望ましい容量を定義するＲＡＢ指定要求を含む。アクセスネットワーク（ＲＮＣ又はｅＮＢ）は、もし利用することができ且つ他のパラメータが予約を許せば、ＵＥのための容量を予約する（３０３）。容量応答メッセージ３０４において、ネットワーク要素は、改善型サービスについてユーザターミナル１０２に通知する確認をユーザターミナルへ送信するように構成される。ステップ３０５において、ユーザターミナル１０２は、（ネットワーク要素１０１によって定義される時間中に／そのエリアにおいて）ネットワークにおける通信で改善型サービスの利用をスタートすることができる。コール中に、ユーザ装置１０２の位置、転送データ量及び時間のような一時的パラメータは、ネットワークにより常時監視される。あるトリガーが改善型サービスをデアクチベートする必要性を示す（例えば、ユーザが「キャンペーンエリア」から立ち去る）場合には、通常の（固定）ＳＬＡパラメータを使用することになる。例えば、ステップ３０６において、ユーザターミナル１０２は、改善型サービスを利用するように定義されたエリアを去る。ネットワーク要素１０１は、ステップ３０８において、ユーザターミナル１０２がエリアを去る／去った（即ち、デアクチベーション基準が満足された）との指示３０７を受け取る。それに応答して、ネットワーク要素１０１は、ユーザターミナル１０２に対して改善型サービスをデアクチベートする（３０８）ように構成される。ネットワークは、メッセージ３０９をユーザターミナルへ送信することによりデアクチベーションについてユーザターミナルに通知する。メッセージ３０９の受信に応答して、ユーザターミナルは、「通常」のＳＬＡパラメータの使用をスタートする（一時的改善型サービスパラメータに代わって）。
【００４６】
改善型サービスのアクチベーション／デアクチベーションは、ユーザターミナルにおけるイベントにより、及び／又はネットワーク要素におけるイベントによりトリガーされることに注意されたい。又、パラメータは、コール設定段階中、コール維持段階中、及び／又はリソース割り当て段階中にチェックされることにも注意されたい。更に、パラメータは、ＲＮＣ、ｅＮＢ、ＨＬＲ及び／又はＬＶＲのようなネットワークノードに記憶され、そしてパラメータ値は、固定でも一時的でもよいことに注意されたい。
【００４７】
図４は、規範的な実施形態を示すフローチャートである。例えば、無線ネットワークコントローラ（ＲＮＣ）又はベースステーション（ｅＮＢ）を含む装置１０１は、ユーザターミナル１０２からネットワーク装置１０１へ送信されたネットワーク容量要求メッセージ（或いはコールの設定又はコールの維持に関連した他のメッセージ）を受信する（４０１）ように構成される。ネットワーク容量要求メッセージの受信に応答して、ネットワーク装置１０１は、（最大データ速度、許されたサービス、等の通常のＳＬＡパラメータに加えて）１つ以上の付加的なパラメータをチェックする（４０２）ように構成される。チェックされるべきこれらの付加的なパラメータは、付加的な速度又は他のサービスが利用できる場所；アップグレードが有効な時間；加入者又はユーザ装置の識別（例えば、電話番号、ＩＭＳＩ、ＩＭＥＩコード、等）；アップグレードステップ（例えば、最大利用速度、１Ｍビット／ｓ、１０Ｍビット／ｓ、等、ＳＬＡについて提供される付加的なサービス）；改善型サービスに利用できるデータ量（例えば、無制限、５０Ｍバイト、１００Ｍバイト、等）；無料コール／低データ転送コストインジケータ；影響のあるネットワーク要素の識別（ＩＤ）（例えば、ＲＮＣ２、６１）；提供される改善型ネットワークサービスのリスト；課金アカウント／バーチャルＳＩＭに関する情報；及び／又はキャンペーンコード／識別、を含む。
【００４８】
チェック４０２で、アクチベーション基準を満足することが明らかになった場合には、前記１つ以上の付加的なパラメータを使用して、ステップ４０３において、適当なネットワークアルゴリズムの使用により、新たな一時的ＱｏＳ、新たな一時的最大データ速度、及び／又はユーザターミナル１０２に対する別の新たな（改善型）一時的ネットワークサービスを定義する。定義に使用される適当なネットワークアルゴリズムは、入場コントロールアルゴリズム、パケットスケジューラアルゴリズム、メッセージ待機アルゴリズム、及び／又はホーム位置レジスタアルゴリズムの１つ以上を含む。別の選択肢として、容量要求メッセージが、例えば、コアネットワークノード（ＭＳＣのような）から受信される。その場合に、容量要求メッセージは、望ましい容量を定義するＲＡＢ指定要求を含む。アクセスネットワーク（ＲＮＣ又はｅＮＢ）は、もし利用することができ且つ他のパラメータが予約を許せば、ＵＥのための容量を予約する（４０２、４０３）。容量応答メッセージにおいて、ネットワーク要素は、（ネットワーク要素１０１によって定義される時間中に／そのエリアにおいて）ネットワークにおける通信にユーザターミナル１０２が利用を開始できる改善型サービスについてユーザターミナル１０２に通知する確認を、ユーザターミナル１０２へ送信する（４０４）ように構成される。コール中、ユーザ装置１０２の位置、転送データ量及び時間のような一時的パラメータは、ネットワークにより常時監視される（４０５）。あるトリガーが改善型サービスをデアクチベートする必要性を示す（例えば、ユーザが「キャンペーンエリア」から立ち去ることをネットワーク要素が確認する（４０５））場合には、通常の（固定）ＳＬＡパラメータを使用することになる。ネットワーク要素１０１は、ステップ４０５において、ユーザターミナル１０２がエリアを去る／去った（即ち、デアクチベーション基準が満足された）との指示を受け取る。それに応答して、ネットワーク要素１０１は、ユーザターミナル１０２に対して改善型サービスをデアクチベートする（４０６）ように構成される。ネットワーク要素は、ユーザターミナルが（一時的な改善型サービスパラメータに代わって）「通常」のＳＬＡパラメータの使用を開始するようにデアクチベーションについてユーザターミナルに通知する（４０７）。
【００４９】
図５は、規範的実施形態を示すフローチャートである。ユーザターミナル（ユーザ装置ＵＥ）１０２は、ステップ５０１において、コールの設定或いはコールの維持に関連したイベントのようなトリガーイベントを遂行するように構成される。トリガーイベント５０１に応答して、ネットワーク容量要求メッセージは、ユーザターミナル１０２から、例えば、無線ネットワークコントローラ（ＲＮＣ）又はベースステーション（ｅＮＢ）を含むネットワーク装置１０１へ送信される（５０２）。別の選択肢として、例えば、トリガーイベントに応答して、容量要求メッセージがコアネットワークノード（ＭＳＣのような）からネットワーク装置１０１へ送信される。ユーザターミナル１０２は、ネットワーク要素１０１からの容量応答メッセージにおいて、新たな一時的ＱｏＳ、新たな一時的最大データ速度、及び／又はユーザターミナル１０２に対してネットワーク要素により定義された別の新たな（改善型）一時的ネットワークサービスに関してユーザターミナル１０２に通知する確認を受信する（５０３）。ステップ５０４において、ユーザターミナル１０２は、（ネットワーク要素１０１により定義された時間中に／そのエリアにおいて）ネットワークにおける通信に改善型サービスを利用し始めることができる。コール中に、ユーザ装置１０２の位置、転送データ量及び時間のような一時的パラメータは、ネットワークにより常時監視される。あるトリガーが改善型サービスをデアクチベートする必要性（例えば、ユーザが「キャンペーンエリア」から立ち去ったこと）を示す場合には、通常の（固定）ＳＬＡパラメータを使用することになる。例えば、ステップ５０５において、ユーザターミナル１０２は、改善型サービスが利用されると定義されたエリアを去る。ユーザターミナル１０２は、ユーザターミナル１０２がエリアを去る／去ったとの指示をネットワーク要素１０１へ送信する（５０５）。ネットワークは、改善型サービスのデアクチベーションについてユーザターミナルに通知し、ユーザターミナルは、ステップ５０６において、ネットワーク要素からデアクチベーション情報を受信する。それに応答して、ユーザターミナルは、（一時的な改善型サービスパラメータに代わって）「通常」のＳＬＡパラメータの使用を開始する（５０７）。
【００５０】
規範的な実施形態において、ユーザ装置は、改善型サービスのアクチベーション及び／又はデアクチベーションの指示をユーザ装置のユーザへ表示するように構成される。ユーザは、ユーザ装置の所定のボタン（１つ又は複数）を押すか、又はユーザ装置により所定のコマンドを入力することにより、改善型サービスのアクチベーションを断ることができる。
【００５１】
図１から５を参照して上述したステップ／ポイント、シグナリングメッセージ及び関連機能は、絶対的な時間的順序ではなく、又、幾つかのステップ／ポイントは、同時に遂行されてもよいし、又は前記とは異なる順序で遂行されてもよい。又、ステップ／ポイント間、又はステップ／ポイント内に他の機能を実行することもできるし、図示されたメッセージ間に他のシグナリングメッセージを送信することもできる。又、ステップ／ポイントの幾つか、又はステップ／ポイントの一部分を除外することもできるし、或いはそれに対応するステップ／ポイント又はステップ／ポイントの一部分と置き換えることもできる。サーバーオペレーションは、１つ以上の物理的又は論理的エンティティで実施される手順を示す。シグナリングメッセージは、例示に過ぎず、そして同じ情報を送信するための多数の個別のメッセージで構成されてもよい。更に、このメッセージは、他の情報を含んでもよい。
【００５２】
従って、規範的な実施形態によれば、ユーザターミナルに関する容量要求メッセージをネットワーク装置で受信し；容量要求メッセージを受信するのに応答して、ユーザターミナルに関連した１つ以上のサービスパラメータをネットワーク装置でチェックし；そのチェックで、改善型ネットワークサービスアクチベーション基準が満足されることが分かった場合には、前記１つ以上のサービスパラメータを使用して、適当なネットワークアルゴリズムの使用により、ユーザターミナルのための一時的な改善型ネットワークサービスであって、ユーザターミナルに対して最初に合意したサービスレベルを越えるような一時的な改善型ネットワークサービスを定義する；ことを含む方法が提供される。
【００５３】
別の規範的な実施形態によれば、ユーザターミナルに関する容量要求メッセージを受信し；その容量要求メッセージの受信に応答して、ユーザターミナルに関連した１つ以上のサービスパラメータをチェックし；そのチェックで、改善型ネットワークサービスアクチベーション基準が満足されることが分かった場合は、前記１つ以上のサービスパラメータを使用して、適当なネットワークアルゴリズムの使用により、ユーザターミナルのための一時的な改善型ネットワークサービスであって、ユーザターミナルに対して最初に合意したサービスレベルを越えるような一時的な改善型ネットワークサービスを定義するように構成された装置が提供される。
【００５４】
更に別の規範的な実施形態によれば、ユーザ装置におけるコール設定イベント又はコール維持イベントに応答して、ネットワーク装置へ容量要求メッセージを送信し；そのネットワーク装置から容量応答メッセージを受信し；その容量応答メッセージが、適当なネットワークアルゴリズムの使用によりユーザ装置に対して定義される一時的な改善型ネットワークサービスであって、ユーザターミナルに対して最初に合意したサービスレベルを越えるような一時的な改善型ネットワークサービスに関する情報を含む場合には、コール中にその一時的な改善型ネットワークサービスを利用するように構成されたユーザ装置が提供される。
【００５５】
更に別の規範的な実施形態によれば、ユーザターミナルに関する容量要求メッセージをネットワーク装置で受信し；容量要求メッセージの受信に応答して、ユーザターミナルに関連した１つ以上のサービスパラメータをネットワーク装置でチェックし；そのチェックで、改善型ネットワークサービスアクチベーション基準が満足されることが分かった場合には、前記１つ以上のサービスパラメータを使用して、適当なネットワークアルゴリズムの使用により、ユーザターミナルのための一時的な改善型ネットワークサービスであって、ユーザターミナルに対して最初に合意したサービスレベルを越えるような一時的な改善型ネットワークサービスを定義する、ことに向けられたアクションを遂行するようにプロセッサにより実行可能なインストラクションのプログラムを実施するコンピュータ読み取り可能な記憶媒体が提供される。
【００５６】
更に別の規範的な実施形態によれば、チェックされるべきパラメータは、位置、時間、ユーザターミナル識別、利用可能なデータ速度、利用可能なデータ量、低コストインジケータ、ネットワーク要素識別、提供される改善型ネットワークサービス、課金アカウント識別、バーチャルＳＩＭ識別、及びキャンペーン識別、から選択されたパラメータの１つ以上を含む、装置が提供される。
【００５７】
更に別の規範的な実施形態によれば、入場コントロールアルゴリズム、パケットスケジューラアルゴリズム、ホーム位置レジスタアルゴリズム、メッセージ待機要素アルゴリズム、ハンドオーバーコントロールアルゴリズム、負荷コントロールアルゴリズム、媒体アクセスコントロールアルゴリズム、改善型ノードＢアプリケーションコントロールアルゴリズム、無線リンクコントロールアルゴリズム、無線リソースコントロールアルゴリズム、及び／又はトランスポートリソースマネージャーアルゴリズムを含む容量アルゴリズムにより定義を実行するよう構成された装置が提供される。
【００５８】
更に別の規範的な実施形態によれば、ネットワークにおける通信にユーザターミナルが利用を開始できる改善型ネットワークサービスに関してユーザターミナルに通知する容量応答メッセージをユーザターミナルに送信するよう構成された装置が提供される。
【００５９】
更に別の規範的な実施形態によれば、ユーザターミナルに関連したコール設定イベント及び／又はコール維持イベントに応答してパラメータのチェックを実行するように構成された装置が提供される。
【００６０】
更に別の規範的な実施形態によれば、コール中に、ユーザターミナルに関連した一時的パラメータを監視するように構成され、改善型サービスをデアクチベートする必要が検出された場合には、ユーザターミナルに対する改善型サービスをデアクチベートするように構成された装置が提供される。
【００６１】
更に別の規範的な実施形態によれば、ユーザターミナルが一時的な改善型サービスパラメータではなくオリジナルのサービスパラメータの使用を開始するためにユーザターミナルにデアクチベーションについて通知するように構成された装置が提供される。
【００６２】
更に別の規範的な実施形態によれば、所定のアクチベーション基準を満足した場合に、ユーザターミナルに対して合意された規定の最大データ速度を越えるデータ速度をユーザターミナルに対して一時的に与えるように構成された装置が提供される。
【００６３】
更に別の規範的な実施形態によれば、新たな一時的サービスクオリティ、新たな一時的最大データ速度、及び／又はユーザターミナルに対する他の改善型一時的ネットワークサービスを定義するように構成された装置が提供される。
【００６４】
更に別の規範的な実施形態によれば、一時的なパラメータをデータベースに記憶するように構成された装置が提供される。
【００６５】
更に別の規範的な実施形態によれば、ユーザターミナルのグループにより使用される一時的改善型サービスパラメータの監視を自動的にアクチベートするように構成された装置が提供される。
【００６６】
更に別の規範的な実施形態によれば、監視によりネットワークの過負荷が明らかになった場合には、ユーザターミナルに対する改善型サービスをデアクチベートし、そして一時的な改善型サービスパラメータではなくオリジナルのサービスパラメータを使用するように構成された装置が提供される。
【００６７】
当業者であれば、技術の進歩に伴い、本発明の概念を種々の仕方で具現化できることが明らかであろう。本発明及びその実施形態は、上述した例に限定されるものではなく、特許請求の範囲内で変更し得るものである。
【００６８】
省略形のリスト
ＰＳ：パケットスケジューラ
ＳＬＡ：サービスレベル合意
ＫＰＩ：鍵となる性能インジケータ
ＵＥ：ユーザ装置
ＧＰＳ：グローバルポジショニングシステム
ＬＴＥ：長期進化
３Ｇ：第三世代
ＭＢＡ：マネージメントベースのアクチベーション
ＬＢＳ：位置ベースシステム
ＱｏＳ：サービスクオリティ
ＩＤ：識別
ＲＮＣ：無線ネットワークコントローラ
ＩＭＳＩ：国際移動加入者アイデンティティ
ＩＭＥＩ：国際移動装置アイデンティティ
３ＧＰＰ：第三世代パートナーシッププロジェクト
ＳＩＭ：加入者アイデンティティモジュール
ＨＬＲ：ホーム位置レジスタ
ＶＬＲ：ビジター位置レジスタ
ＴＶ：テレビ
ＭＳＣ：移動交換センター
ＭＷ：メッセージ待機
【符号の説明】
【００６９】
１０１：ネットワーク装置
１０２：ユーザ装置
１０３：接続
２０１：コントローラ
２０２：メモリ
２０３：トランシーバ
２０４：アンテナポート
２０５：アンテナ構成体
２０７：コントローラ
２０８：インターフェイス
２０９：トランシーバ
２１０：アンテナ構成体
【図１】
0005802325.tif 000002
【図２】
0005802325.tif 000003
【図３】
0005802325.tif 000004
【図４】
0005802325.tif 000005
【図５】
0005802325.tif 000006